(57)【要約】【課題】フレキシブル基板によって電気的に連結された電子部品本体部と端子部間を所定の遊びを設けた状態で一体に結合する構造の電子部品の小型化を図ること。【解決手段】ケース３５０に固定される電子部品本体部２０と基板３００に固定される端子部７０とをフレキシブル基板１００で電気的に連結する。電子部品本体部２０に設けた第一係合部４１と端子部７０に設けた第二係合部７１とを係合することで、電子部品本体部２０と端子部７０間を所定の遊びを設けた状態で一体に結合する。第一，第二係合部４１，７１は、何れも電子部品本体部２０及び端子部７０の対向面に略平行な方向を向くフック４３，７３と、相手方のフックを挿入するフック挿入部４５，７５とを有して構成される。両フック４３，７３は電子部品本体部２０及び端子部７０の対向面に略平行な方向に向けてスライド移動して相手方のフック挿入部４５，７５にスナップイン係合される。【選択図】図１０
2005317338.tif 000002
【特許請求の範囲】
【請求項１】
それぞれ別の位置決め部材に位置決めされる第一電子部品部と第二電子部品部とをフレキシブル基板で電気的に連結すると共に、前記第一電子部品部に設けた第一係合部と第二電子部品部に設けた第二係合部とを係合することで、前記第一電子部品部と第二電子部品部間を所定の遊びを設けた状態で一体に結合してなる電子部品において、
前記第一，第二係合部は、前記第一，第二電子部品部の対向面に略平行な方向に向けてスライド移動して係合する形状に構成されていることを特徴とする電子部品。
【請求項２】
前記第一，第二係合部の内の少なくとも一方は、前記スライド方向を向くフックによって構成されていて、これら第一，第二係合部はスナップイン係合によって結合されることを特徴とする請求項１に記載の電子部品。
【請求項３】
前記第一，第二係合部は、何れも前記スライド方向を向くフックを具備し、両フックの先端には両フックの先端を対向させて係合する際に当接して両フックをそのフックを取り付けた電子部品から離れる方向に撓ませる傾斜面を設け、さらに前記傾斜面によって撓んだ両フックが元の形状に戻った状態でそれぞれ相手方のフックを挿入するフック挿入部を設けたことを特徴とする請求項１又は２に記載の電子部品。
【発明の詳細な説明】
【技術分野】
【０００１】
本発明は、基板とケース等の異なる二つの電子部材に対してそれぞれ容易に位置決め・設置することができる電子部品に関するものである。
【背景技術】
【０００２】
従来、揺動式電子部品等の電子部品の中には、この電子部品を基板上に固定し、一方電子部品の上面から突出する操作レバーを基板の上方に設置したケースの開口から露出し、さらにこのケースの開口を介して前記操作レバーにケースの上面側から操作つまみを取り付ける場合があった。
【０００３】
しかしながら上記従来例においては、基板とケースの位置が、両者間の組み立て誤差などによってずれることがあり、その場合、ケースに対して操作つまみが精度良く位置決めされた位置に設置できず、最悪の場合、例えば操作つまみを揺動した際に操作つまみがケースの開口の内周辺に接触して操作つまみの揺動ができなくなってしまうという問題があった。
【０００４】
これを解決するには、特許文献１の図１に示すように、電子部品本体部（電子部品用ケース）４０と端子部（外部端子部）６０とをフレキシブル基板１０によって連結すればよい。このように構成すれば、例えば端子部６０を取り付ける基板と、電子部品本体部４０を取り付けるケースとの位置がずれていても、そのずれはフレキシブル基板１０の撓みが吸収し、電子部品本体部４０及び端子部６０の両者をそれぞれ正確にケースと基板に取り付けることができる。
【０００５】
一方基板やケース等への組付けの容易性などの観点から電子部品本体部と端子部とを一体化しておきたい場合は、電子部品本体部と端子部間を上下に重ね合わせて所定の遊びを設けた状態で一体に結合すれば良い。即ち例えば図１１に示すように、操作レバー等の各種機能部品を取り付けた電子部品本体部４１０と、端子４５１を取り付けてなる端子部４５０とをフレキシブル基板４７０によって電気的・機械的に連結して構成し、図１２に示すように、フレキシブル基板４７０の部分を折り曲げることで電子部品本体部４１０の下面側に端子部４５０を重ね合わせ、さらに端子部４５０の面から垂直に突出する四本（図では二本のみ示す）の爪４５３をそれぞれ電子部品本体部４１０の面に設けた図示しない四つの爪挿入孔に挿入・係合することによって、図１３に示すように電子部品本体部４１０の下面側に端子部４５０を結合する。爪４５３と爪挿入孔との係合には水平方向に所定の遊び（ガタ）が設けられており、従って端子部４５０が取り付けられる基板と電子部品本体部４００が取り付けられるケースとの間に組み立て上の誤差があっても、両者はそれぞれ基板及びケースに対して正規の位置に位置決めして設置できる。しかも前記特許文献１の場合に比べて電子部品本体部４１０と端子部４５０とを一体化しているので、ケースや基板等への組付けが容易になり、また電子部品本体部４１０と端子部４５０をつなぐフレキシブル基板４７０の長さも短くできて小型化が図れる。
【０００６】
しかしながら上記従来の電子部品４００の場合でも、図１２に示すように、電子部品本体部４１０の下面側に端子部４５０を重ね合わせた際、爪４５３の先端が電子部品本体部４１０の爪挿入孔に挿入できるように、一旦電子部品本体部４００と端子部４５０の対向面を爪４５３の長さ分だけ引き離した状態としなければならないので、その分フレキシブル基板４７０の電子部品本体部４１０と端子部４５０間を連結している部分の長さＬ１（図１１参照）を長く取っておかなければならない。しかしながらそうすると、図１３に示すように、爪４５３を電子部品本体部４１０の爪挿入孔に挿入して電子部品本体部４１０の下面側に端子部４５０を取り付けた際、前記フレキシブル基板４７０の折り返し部分が組み立てた電子部品４００の外周から外部に向けて突出する寸法が長くなってしまい、その分この電子部品４００のさらなる小型化が図れないという問題があった。
【特許文献１】特開２００３−１７４２６６号公報
【発明の開示】
【発明が解決しようとする課題】
【０００７】
本発明は上述の点に鑑みてなされたものでありその目的は、フレキシブル基板によって電気的に連結された第一電子部品部と第二電子部品部間を所定の遊びを設けた状態で一体に結合する構造の電子部品の小型化を図ることができる電子部品を提供することにある。
【課題を解決するための手段】
【０００８】
本願請求項１に記載の発明は、それぞれ別の位置決め部材に位置決めされる第一電子部品部と第二電子部品部とをフレキシブル基板で電気的に連結すると共に、前記第一電子部品部に設けた第一係合部と第二電子部品部に設けた第二係合部とを係合することで、前記第一電子部品部と第二電子部品部間を所定の遊びを設けた状態で一体に結合してなる電子部品において、前記第一，第二係合部は、前記第一，第二電子部品部の対向面に略平行な方向に向けてスライド移動して係合する形状に構成されていることを特徴とする電子部品にある。
【０００９】
本願請求項２に記載の発明は、前記第一，第二係合部の内の少なくとも一方は、前記スライド方向を向くフックによって構成されていて、これら第一，第二係合部はスナップイン係合によって結合されることを特徴とする請求項１に記載の電子部品にある。
【００１０】
本願請求項３に記載の発明は、前記第一，第二係合部は、何れも前記スライド方向を向くフックを具備し、両フックの先端には両フックの先端を対向させて係合する際に当接して両フックをそのフックを取り付けた電子部品から離れる方向に撓ませる傾斜面を設け、さらに前記傾斜面によって撓んだ両フックが元の形状に戻った状態でそれぞれ相手方のフックを挿入するフック挿入部を設けたことを特徴とする請求項１又は２に記載の電子部品にある。
【発明の効果】
【００１１】
請求項１に記載の発明によれば、第一電子部品部と第二電子部品部間を所定の遊びを設けた状態で一体に結合する第一，第二係合部の構造を、第一，第二電子部品部の対向面に略平行な方向に向けてスライド移動して係合する形状に構成したので、電子部品本体部と端子部とを結合一体化するために重ね合わせた際に、両者を略接触させた状態とすることができ、しかも両者の結合一体化は両者をその対向面に沿うようにスライド移動するだけでよいので、フレキシブル基板の電子部品本体部と端子部間を連結している部分の長さを短くしても良くなり、従って組み立てた電子部品の外周から外部に向けてフレキシブル基板の折り返し部分が突出する寸法が短くなり、その分この電子部品の小型化が図れる。
【００１２】
本願請求項２に記載の発明によれば、第一係合部又は第二係合部としてスライド方向を向くフックを用い、これら第一，第二係合部をスナップイン係合によって結合したので、その係合部の構造を簡素化でき、またスライド移動による結合一体化も容易に行えるようになる。
【００１３】
本願請求項３に記載の発明によれば、第一，第二係合部が簡単な構造で、なおかつ強固に両者が係合し、その後両者が外れづらい係合構造を有している。
【発明を実施するための最良の形態】
【００１４】
以下、本発明の実施形態を図面に基づいて詳細に説明する。
図１は本発明の一実施形態にかかる電子部品（以下「揺動式電子部品」という）１０の斜視図である。また図２（ａ）は電子部品１０の平面図、図２（ｂ）は側面図である。これらの図に示すようにこの揺動式電子部品１０は、第一電子部品部（以下「電子部品本体部」という）２０と第二電子部品部（以下「端子部」という）７０とをフレキシブル基板１００によって連結して構成されている。
【００１５】
ここで図３はフレキシブル基板１００の平面図である。同図に示すようにフレキシブル基板１００は、機能パターン形成部１１０と、端子接続パターン形成部１３０と、機能パターン形成部１１０と端子接続パターン形成部１３０間を連結する連結部１５０とを具備して構成されている。機能パターン形成部１１０には図示は省略しているが、所望の機能パターン（以下「スイッチパターン」という）が形成されている。端子接続パターン形成部１３０には前記各スイッチパターンから引き出された端子接続パターン１０３が形成されている。また機能パターン形成部１１０の各部には下記するモールド樹脂製のケース３０を貫通するための穴１１１が設けられている。また端子接続パターン形成部１３０の各部にも下記するモールド樹脂製の端子固定ケース８０を貫通するための穴１１３が設けられている。
【００１６】
そして図１，図２に示す揺動式電子部品１０を製造するには、図３に示すフレキシブル基板１００の各端子接続パターン１０３にそれぞれ金属板製の端子９０の一端を当接したものを金型内に挟持し、金型内に形成したキャビティー内に溶融モールド樹脂を充填することで、機能パターン形成部１１０と端子接続パターン形成部１３０の部分に同時にケース３０と端子固定ケース８０とを成形し、これによって同時に電子部品本体部２０と端子部７０とを製造する。
【００１７】
ここで図４は電子部品本体部２０を裏面側から見た斜視図である。同図及び図１，図２に示すようにフレキシブル基板１００の機能パターン形成部１１０の下面はケース３０の略平面状の下面によって覆われている。一方機能パターン形成部１１０の上面側の各スイッチパターンを設けた部分の周囲にはこれらを囲む内壁部２１が設けられ、その上面には四本の突起部２３が設けられている。内壁部２１の外側には外壁部２５が設けられ、その前後二ヶ所には突起状の位置決め部２７が設けられ、一方の位置決め部２７はコ字状であってその内部に矩形状の挿入部２９を設け、もう一つの位置決め部２７は円筒状であってその内部に円形の穴からなる挿入部２９を設けている。
【００１８】
一方電子部品本体部２０の下面側の四隅近傍には、それぞれ第一係合部４１が設けられている。第一係合部４１は、その先端が端子部７０から離れる方向に向かって突出する略Ｌ字状に屈曲するフック（爪）４３を具備して構成され、またフック４３の上部（フック４３と電子部品本体部２０の下面との間）にはフック挿入部４５が設けられている。フック４３の先端側部分は電子部品本体部２０の下面（下記する端子部７０との対向面）に略水平な方向に向かって突出しており所定の弾性を有している。フック４７の先端には、先端に向かって電子部品本体部２０との離間距離が広がる傾斜面４３ａ（図２（ｂ）参照）が設けられている。またフック４３及びフック挿入部４５の形状は、この第一係合部４１に下記する第二係合部７１を係合した際に、厚み方向（図４のＺ方向）にはぴったりガタなく係合するが、水平方向（図４のＸ−Ｙ方向）には何れも所定の遊び（ガタ）が生じる寸法形状に形成されている。また四つの第一係合部４１の内、端子部７０側の二つの第一係合部４１のフック挿入部４５の上面（天井面）には、これに係合する第二係合部７１のフック７３の抜け防止用の小突起からなる抜け防止部４７が設けられている。
【００１９】
図５は端子部７０を裏面側から見た斜視図である。同図及び図１，図２に示すように端子部７０は、端子接続パターン形成部１３０の下面を端子固定ケース８０の略平面状の下面によって覆い、またこの下面の四隅近傍にそれぞれ第二係合部７１を設け、さらに端子固定ケース８０の左右両側辺から二本の爪８５を上方向に突出して構成されている。爪８５の先端には係止部８６が設けられている。一方第二係合部７１も前記第一係合部４１と同様に、その先端が電子部品本体部２０側に向かって突出する略Ｌ字状に屈曲するフック（爪）７３を具備して構成され、またフック７３の上部（フック７３と端子部７０の下面との間）にはフック挿入部７５が設けられている。フック７３の先端側部分は端子部７０の下面（電子部品本体部２０との対向面）に略水平な方向に向かって突出しており所定の弾性を有している。フック７３の先端には、先端に向かって端子部７０との離間距離が広がる傾斜面７３ａ（図２（ｂ）参照）が設けられている。またフック７３及びフック挿入部７５の形状は、前記フック４３及びフック挿入部４５の形状説明の言い換えになるが、この第二係合部７１に前記第一係合部４１を係合してフック４３，７３を相手方のフック挿入部４５，７５内に挿入した際に、厚み方向（図４のＺ方向）にはぴったりガタなく係合するが、水平方向（図４のＸ−Ｙ方向）には何れも所定の遊び（ガタ）が生じる寸法形状に形成されている。
【００２０】
ところで図１に示す電子部品本体部２０の内壁部２１内には、図示しない揺動式電子部品を構成する各種部品が収納されるが、本発明の要旨ではないのでその説明は省略する。なお図６は電子部品本体部２０に各種電子部品を収納してその最も上に取り付けたケース６０から操作部４９を突出した状態を示している。操作部４９はこれを真下に押圧することでスイッチをオンでき、またこれを揺動することでもスイッチをオンできる。
【００２１】
そして図６に示す状態から、同図に矢印Ａで示すように、端子部７０を電子部品本体部２０の下面側に折り返し、図７に示すように、両フック４３，７３の先端同士が略対向する位置において、電子部品本体部２０と端子部７０の対向面をほぼ接触する。そして図８に示すように、電子部品本体部２０と端子部７０とを両フック４３，７３の傾斜面４３ａ，７３ａ同士が接近する方向に向けて移動し、これによって両傾斜面４３ａ，７３ａを当接して当接面を摺動させ、これによって抜け防止部４７を設けた側の両フック４３，７３はフック７３の上部根元部分が抜け防止部に４７に当接することで、相互に広がる（そのフック４３，７３を取り付けた電子部品本体部２０，端子部７０から離れる方向に撓ませる）ように弾性変形された後、それぞれ相手側のフック挿入部４５，７５に挿入（スナップイン係合）する。このとき前記両傾斜面４３ａ，７３ａの当接によって撓んでいた両フック４３，７３は元の形状に戻る。なお抜け防止部４７を設けていない側の両フック４３，７３はスムーズに相手側のフック挿入部４５，７５に挿入される。これによって図９に示すように、四組の第一，第二係合部４１，７１は同時に係合する。このときフック挿入部４５内に設けた抜け防止部４７に、フック７３の後端側の部分が係止されることで、第一，第二係合部４１，７１間の係合が外れないようになっている。また前述のように両フック４３，７３及びフック挿入部４５，７５の形状は第一，第二係合部４１，７１間を係合した際に、厚み方向にはぴったりガタなく係合するが、水平方向には何れも所定の遊び（ガタ）が生じる寸法形状に形成されているので、端子部７０に対して電子部品本体部２０は、水平方向に所定の遊びを持って固定されている。
【００２２】
以上のようにこの実施形態には、第一，第二係合部４１，７１が、電子部品本体部２０と端子部７０の対向面に略平行な方向に向けてスライド移動して係合する形状に構成され、またこれら第一，第二係合部４１，７１は前記スライド移動方向を向くフック４３，７３を具備し、両フック４３，７３の先端には両フック４３，７３の先端を対向させて係合する際に当接して両フック４３，７３をそのフック４３，７３を取り付けた電子部品（即ち電子部品本体部２０，端子部７０）から離れる方向に撓ませる傾斜面４３ａ，７３ａを設け、さらに前記傾斜面４３ａ，７３ａによって撓んだ両フック４３，７３が元の形状に戻った状態でそれぞれ相手方のフック４３，７３を挿入するフック挿入部４５，７５を設けて構成されている。
【００２３】
以上のように本実施形態によれば、電子部品本体部２０の下面側に端子部７０を重ね合わせる際に、前記従来例の図１２で説明したように、端子部７０と電子部品本体部２０との間を引き離しておく必要がなく、両者の面を略面接触させた状態で重ね合わせることができ、しかも両者の結合一体化は両者をその対向面に沿うようにスライド移動するだけでよいので、フレキシブル基板１００の電子部品本体部２０と端子部７０間を連結している部分（折り返し部分）の長さＬ（図６参照）を短くでき、従って図９に示すように、組み立てた電子部品１０の外周から外部に向けてフレキシブル基板１００の折り返し部分が突出する寸法が短くなり、その分この電子部品１０の小型化が図れる。
【００２４】
図１０は以上のようにして組み立てた電子部品１０の一使用例を示す図である。同図に示す例においては、この揺動式電子部品１０を位置決め部材（以下この実施形態では「基板」という）３００上に載置し、その際端子部７０に設けた二本の爪８５を基板３００に設けた貫通孔からなる係止部３０１にスナップイン方式で挿入してガタなく係止・固定する。このとき同時に、端子部７０から突出する複数本の端子９０も基板３００に設けた貫通孔からなる複数個の挿入部３０３内に挿入される。そして基板３００裏面の各挿入部３０３の周囲の部分に設けた端子パターン３０５に各端子９０を半田等によって固定する。
【００２５】
一方基板３００上に固定された揺動式電子部品１０上には位置決め部材（以下この実施形態では「ケース」という）３５０が被せられる。ケース３５０には操作部４９を挿入する開口部３５１と、各位置決め部２７の挿入部２９に嵌合される突起状の係合部３５３とが設けられており、開口部３５１に操作部４９を露出した際に各係合部３５３を挿入部２９に挿入する。このとき基板３００とケース３５０の設置位置が、組み立て誤差等によってずれている場合があるが、前述のように基板３００に固定された端子部７０に対して電子部品本体部２０は面方向（水平面方向）に所定寸法移動可能に構成されているので、端子部７０に対して電子部品本体部２０の位置がずれることで、容易に各係合部３５３を挿入部２９に嵌合することができる。従って操作部４９を常に開口部３５１内の所定位置（通常は中央位置）に正確に位置させることができる。なお本実施形態では開口部３５１から操作部４９を突出させているが、操作部４９を開口部３５１から突出させないで、開口部３５１の下側に位置させても良い。
【００２６】
そして図１０に示すように開口部３５１に露出する操作部４９につまみ４００を取り付け、これを真下（矢印Ｂ方向）に向けて押圧したり、揺動したりすれば、それぞれフレキシブル基板１００の機能パターン形成部１１０上に設けた所望のスイッチパターンがオンする。
【００２７】
以上本明の実施形態を説明したが、本発明は上記実施形態に限定されるものではなく、特許請求の範囲、及び明細書と図面に記載された技術的思想の範囲内において種々の変形が可能である。なお直接明細書及び図面に記載のない何れの形状・構造・材質であっても、本願発明の作用・効果を奏する以上、本願発明の技術的思想の範囲内である。例えば電子部品本体部２０は必ずしも揺動式電子部品用の電子部品本体部である必要はなく、回転式電子部品（回転式スイッチや回転式可変抵抗器等）用の電子部品本体部やスライド式電子部品（スライド式スイッチやスライド式可変抵抗器等）用の電子部品本体部等であっても良い。また上記実施形態では電子部品本体部２０と端子部７０とを所定の遊びを設けた状態で結合したが、結合するのは電子部品本体部２０と端子部７０の組み合わせに限定されず、他の種々の電子部品であっても良い。即ち分割された２つの部分（それぞれ別の位置決め部材に位置決めされる第一電子部品部と第二電子部品部）をフレキシブル基板で連結した構造であれば、どのような電子部品にも適用できる。また第一電子部品部と第二電子部品部の位置決め部材への位置決め構造も、上記実施形態の構造のものに限定されず、種々の変形が可能であることはいうまでもない。
【００２８】
また第一電子部品部と第二電子部品部間を一体に結合する第一，第二係合部の構造は、上記構造に限定されず、種々の変形が可能である。例えば上記実施形態では第一，第二係合部として、何れもフック及びフック挿入部を設けた構造に構成したが、その代わりに第一，第二係合部の内の一方のみにその先端がスライド方向を向くフックを設け、他方にはこのフックに係合する舌片状の板部材（例えばフック弾性を有さないもの）を設けて両者をスライド方向にスナップイン係合させる構造としてもよい。さらにフックを全く用いない他の構造であっても良い。要は第一，第二電子部品部の対向面に略平行な方向に向けてスライド移動させることで係合する形状であれば、どのような形状・構造であっても良い。
【図面の簡単な説明】
【００２９】
【図１】本発明の一実施形態にかかる電子部品（揺動式電子部品）１０の斜視図である。
【図２】図２（ａ）は電子部品１０の平面図、図２（ｂ）は側面図である。
【図３】フレキシブル基板１００の平面図である。
【図４】電子部品本体部２０を裏面側から見た斜視図である。
【図５】端子部７０を裏面側から見た斜視図である。
【図６】電子部品本体部２０と端子部７０間を組み立てる方法を示す図である。
【図７】電子部品本体部２０と端子部７０間を組み立てる方法を示す図である。
【図８】電子部品本体部２０と端子部７０間を組み立てる方法を示す図である。
【図９】電子部品本体部２０と端子部７０間を組み立てる方法を示す図である。
【図１０】電子部品１０の一使用例を示す図である。
【図１１】従来の電子部品４００の組立方法説明図である。
【図１２】従来の電子部品４００の組立方法説明図である。
【図１３】従来の電子部品４００の組立方法説明図である。
【符号の説明】
【００３０】
１０  揺動式電子部品（電子部品）
２０  電子部品本体部（第一電子部品部）
２１  内壁部
２５  外壁部
２７  位置決め部
２９  挿入部
３０  ケース
４１  第一係合部
４３  フック
４５  フック挿入部
４７  抜け防止部
４９  操作部
６０  ケース
７０  端子部（第二電子部品部）
７１  第二係合部
７３  フック
７５  フック挿入部
８０  端子固定ケース
８５  爪
９０  端子
１００  フレキシブル基板
１０１  スイッチパターン（機能パターン）
１０３  端子接続パターン
１１０  機能パターン形成部
１２０  可動接点板（反転板）
１３０  端子接続パターン形成部
１５０  連結部
３００  基板（位置決め部材）
３０１  係止部
３０３  挿入部
３０５  端子パターン
３５０  ケース（位置決め部材）
３５１  開口部
３５３  係合部
４００  つまみ
【図１】
2005317338.tif 000003
【図２】
2005317338.tif 000004
【図３】
2005317338.tif 000005
【図４】
2005317338.tif 000006
【図５】
2005317338.tif 000007
【図６】
2005317338.tif 000008
【図７】
2005317338.tif 000009
【図８】
2005317338.tif 000010
【図９】
2005317338.tif 000011
【図１０】
2005317338.tif 000012
【図１１】
2005317338.tif 000013
【図１２】
2005317338.tif 000014
【図１３】
2005317338.tif 000015